(57)【要約】【課題】内視鏡用電磁エネルギー放射電極を円滑かつ確実に内視鏡に挿通したり内視鏡から抜き出したりすることができるようにし、適切な接近角度で生体組織の表面に接近させて、精緻な処理を施すことができるようにする。【解決手段】内視鏡用電磁エネルギー放射電極５は、その首部５ａが高周波電流ケーブルに接続され、同首部５ａより先端側にある先端部５ｂの表面から放射した電磁エネルギーの作用の下で、内視鏡を通して視認される近傍電磁界中の生体組織に対し処理を行うためのものであって、首部５ａより先端側の部分５ｂにおいてへら状に形成されている。【選択図】          図４
2005065751.tif 000002
【特許請求の範囲】
【請求項１】
高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分においてへら状に形成されていることを特徴とする、内視鏡用電磁エネルギー放射電極。
【請求項２】
請求項１に記載された内視鏡用電磁エネルギー放射電極において、前記首部より先端側の部分が前記首部に対して設定された屈曲角度で屈曲していることを特徴とする、内視鏡用電磁エネルギー放射電極。
【請求項３】
請求項１又は２に記載された内視鏡用電磁エネルギー放射電極において、前記電磁エネルギー放射電極の前記首部より先端側のへら状の部分の一部に、周縁から内側に向けて切り欠きが形成されていることを特徴とする、内視鏡用電磁エネルギー放射電極。
【請求項４】
高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分において環状に形成されていることを特徴とする、内視鏡用電磁エネルギー放射電極。
【請求項５】
高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分においてかぎ状に形成され、前記首部より先端側の部分の端面部が、外方に凸の滑らかな曲面となるように面取り形成されていることを特徴とする、内視鏡用電磁エネルギー放射電極。
【請求項６】
高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分においてかぎ状に形成され、前記かぎ状に形成された首部より先端側の部分のかぎ先部が、少なくとも前記首部の中心軸線に平行な折り返し方向となる折り返し角度以上の折り返し角度で、滑らかな湾曲を描いて折り返された形状に形成されていることを特徴とする、内視鏡用電磁エネルギー放射電極。
【請求項７】
高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分においてかぎ状に形成され、前記かぎ状に形成された首部より先端側の部分のかぎ先部が、前記首部の中心軸線に概ね垂直な折り返し方向となる折り返し角度でかぎ状部の内側へ向けて折り返された形状に形成されていることを特徴とする、内視鏡用電磁エネルギー放射電極。
【発明の詳細な説明】
【０００１】
【発明の属する技術分野】
本発明は、高周波電流ケーブルに首部が接続され同首部より先端側の部分の表面から放射した電磁エネルギーの作用の下で、内視鏡を通して視認される近傍電磁界中の生体組織に対して処理を行うことのできる、内視鏡用電磁エネルギー放射電極に関する。
【０００２】
【従来の技術】
従来の生体組織処理装置においては、プローブの先端部から突出する例えば電極としての電気メスを使用して、生体組織に対し例えば切開、切除、凝固および止血等の処理を施す際に、電極を生体組織に当接したり対の電極により生体組織を挟んだりして、電極と生体組織との間の電解液を経由して電極から生体組織へ流れる電流や、対の電極の一方から生体組織を経由して他方の電極へ還流する電流によって発生するジュール熱を主として利用して、生体組織に対して切開、切除、凝固および止血等の処理を行っていた。
【０００３】
【発明が解決しようとする課題】
しかしながら、上記のような従来の生体組織処理装置の場合、通電により局部的に加熱された生体組織が、生体組織を流れる電流によって、切開部等の被処理部のみならず被処理部の周辺の健全な生体組織までをも含む広い範囲にわたって熱変性をする心配があった。
【０００４】
また、従来の生体組織処理装置を内視鏡に装着し、内視鏡を通して生体組織の局部を見ながら当該生体組織の局部に対して気化、切開、切除、凝固および止血等の多様な処理を施そうとしても、生体組織処理装置を内視鏡に最適な状態で装着するのが容易でなく、さらに、内視鏡に装着した生体組織処理装置を用いて、内視鏡を通して生体組織の局部を見ながら電極の先端表面を生体組織の複雑な表面形状に対応して常に適切な接近角度を持たせながら生体組織の表面に近づけるのに高度な技術を要していたので、生体組織に対し多様で精緻な処理を施すためには、多くの熟練と経験とを必要としていた。このような従来の生体組織処理装置における不都合を解消するための生体組織処理装置として、本発明者らは先に特開２００３ー７９６３５および特開２００３ー７９６３６において改良された生体組織処理装置を提案した。
【０００５】
本発明は、本発明者らによる上記提案と並行して上記従来の不都合をさらに解消しようとするもので、生体組織の被処理部のみならず、被処理部の周辺の健全な生体組織まで広い範囲にわたって大きく熱変性をさせてしまう、ということがないようにし、内視鏡を通して生体組織の局部を見ながら生体組織の局部に対して気化、切開、切除、凝固および止血等の多様な処理を施そうとして、内視鏡のケーブル導通管を通して内視鏡内へ電極を挿通する際に、あるいは内視鏡のケーブル導通管を通して内視鏡から電極を抜き出す際に、電極が内視鏡のケーブル導通管の内壁面に引っ掛かかることなく、円滑に、かつ確実に電極を内視鏡に挿通したり内視鏡から抜き出したりすることができるようにした、内視鏡用電磁エネルギー放射電極を提供しようとするものである。
【０００６】
さらに本発明は、電極の先端部の表面を、生体組織の複雑な表面形状に対応して、常に適切な接近角度を持たせながら生体組織の表面に近づけることができるようにして、内視鏡を通しての生体組織の視認を容易かつ確実に行うことができるようにし、さらに電極の表面積をできるだけ小さくすることができるような電極の形状とすることにより、電極の表面から放射する電磁エネルギーを有効に局所に集中させることができるようにして、電極に高い切開機能等の各種の処理機能を持たせることができるようにし、特別な高度の技術や多くの熟練や経験を要することなく、生体組織に対して精緻な処理を施すことができるようにした、内視鏡用電磁エネルギー放射電極を提供しようとするものである。
【０００７】
【課題を解決するための手段】
上述の課題を解決するため、本発明の内視鏡用電磁エネルギー放射電極は、高周波電流ケーブルに首部が接続され同首部より先端側にある先端部の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分においてへら状に形成されている。
【０００８】
また、本発明の内視鏡用電磁エネルギー放射電極において、前記首部より先端側の部分が、前記首部に対して設定された屈曲角度で屈曲している。
【０００９】
さらに、本発明の内視鏡用電磁エネルギー放射電極において、前記電磁エネルギー放射電極の前記首部より先端側のへら状の部分の一部に、周縁から内側に向けて切り欠きが形成されている。
【００１０】
また、本発明の内視鏡用電磁エネルギー放射電極は、高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分において環状に形成されている。
【００１１】
さらに、本発明の内視鏡用電磁エネルギー放射電極は、高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分においてかぎ状に形成され、前記首部より先端側の部分の端面部が、外方に凸の滑らかな曲面となるように面取り形成されている。
【００１２】
また、本発明の内視鏡用電磁エネルギー放射電極は、高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分においてかぎ状に形成され、前記かぎ状に形成された首部より先端側の部分のかぎ先部が、少なくとも前記首部の中心軸線に平行な折り返し方向となる折り返し角度以上の折り返し角度で、滑らかな湾曲を描いて折り返された形状に形成されていることを特徴とする、内視鏡用電磁エネルギー放射電極。
【００１３】
さらに、本発明の内視鏡用電磁エネルギー放射電極は、高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分においてかぎ状に形成され、前記かぎ状に形成された首部より先端側の部分のかぎ先部が、前記首部の中心軸線に概ね垂直な折り返し方向となる折り返し角度でかぎ状部の内側へ向けて折り返された形状に形成されていることを特徴とする、内視鏡用電磁エネルギー放射電極。
【００１４】
【発明の実施の形態】
以下、図面により本発明の実施の形態について説明する。図１は本発明の一実施の形態に係る内視鏡用電磁エネルギー放射電極を使用した生体組織処理装置の概念的な構成図、図２は図１の生体組織処理装置に使用することができる分割ケーブルの一例を示す平面図、図３は図１の生体組織処理装置の電源部から電磁エネルギー放射電極に至る電流の経路および制御信号の流れの一例を示す説明図である。
【００１５】
まず図１において、生体組織処理装置は、高帯域のラジオ周波数、例えば８ＭＨｚ〜６０ＭＨｚの周波数の高周波電流を発生する高周波電源部１を備える。この高周波電源部１から供給される高周波電流は、インピーダンスのマッチングを行うマッチングユニット３および高周波電流ケーブル１１を介して電磁エネルギー放射電極５へ送られる。
【００１６】
高周波電流ケーブル１１の先端側の外径が細径化された部分は、内視鏡の基端操作部側から、屈撓自在な絶縁性のケーブル導通管４内へ挿入されて、当該ケーブル導通管４の先端側の開口部の近くまで延びている。当該内視鏡のケーブル導通管４の先端側の開口部の近くに位置する高周波電流ケーブル１１の先端側の端部には、電磁エネルギー放射電極５の基端部が、高周波電流ケーブル１１に対して一体的に、あるいは着脱交換が可能に接続されている。
【００１７】
高周波電流ケーブル１１は、芯線２と同芯線２を絶縁材を介して同軸状に取り囲むシールド線６とを有し、芯線２の基端側が、マッチングユニット３を介して高周波電源部１の一方の電極の端子７ａに接続されているとともに、シールド線６の基端側が、マッチングユニット３および導線７を介して高周波電源部１の他方の電極の端子７ｂに接続されている。芯線２の先端部が電磁エネルギー放射電極５に接続されているのに対し、シールド線６は、芯線２に直接接続されることなく、マッチングユニット３から内視鏡のケーブル導通管４の先端側開口部の近傍の位置まで、絶縁材を介して芯線２を取り囲んでいる。
【００１８】
電磁エネルギー放射電極５の先端側は、使用時において、内視鏡のケーブル導通管４の先端側の開口部から突出し、その先端部表面から放射した近傍電磁界中の電磁エネルギーの作用の下で、内視鏡の操作者の操作に従って、近傍電磁界中の生体組織に対し気化、切開、凝固および止血等の処理を行う。
【００１９】
高周波電流ケーブル１１の、内視鏡のケーブル導通管４内に挿通される部分の外径、及び電磁エネルギー放射電極５の最大幅寸法は、当然、それぞれ内視鏡のケーブル導通管４の内径以下、例えば２〜３ｍｍ以下、好ましくは２ｍｍ以下に設定される。また、電磁エネルギー放射電極５は、前記内視鏡のケーブル導通管４の軸線方向の最大曲率部を自在に通過し得るだけの軸線方向の長さ、例えば数ｍｍ以下、好ましくは３〜４ｍｍ以下、さらに好ましくは２〜３ｍｍ以下に設定される。
【００２０】
シールド線６は、芯線２から放射された電磁エネルギーを効果的に捕捉する。その結果、芯線２から放射される電磁エネルギーが、マッチングユニット３から電磁エネルギー放射電極５に至る途中で、大気等の系外に散逸することが防止され、長さおよび太さが調整された高周波電流ケーブル１１それ自体が、マッチングユニット３と協同して、良好なマッチング機能を果たすことができる。
【００２１】
図１において、内視鏡を操作して電磁エネルギー放射電極５の先端部を生体組織８の局部９に接近させると、前述の通り、電磁エネルギー放射部１０において電磁エネルギー放射電極５の先端部の表面から放射した電磁エネルギーの作用の下で、当該電磁エネルギー放射電極５により、その近傍電磁界中の生体組織に対し気化、切開、凝固および止血等の処理を行うことができる。
【００２２】
図２に、図１の生体組織処理装置において使用することができるマッチング機能を持つ高周波電流ケーブルの一例を示す。同図において、高周波電流ケーブル１１は、その中間部で互いに係合および離脱が可能なコネクタソケット１３ａおよび１３ｂよりなるコネクタを介して複数本、例えば、図示のように２本の分割ケーブル１１ａおよび１１ｂに分割可能なケーブルとすることができる。そして互いに隣接する分割ケーブル１１ａおよび分割ケーブル１１ｂのうち、高周波電源部１側の分割ケーブル、例えばコネクタソケット１２を介してマッチングユニット３に接続される分割ケーブル１１ａのケーブル径に比し、先端側の分割ケーブル、例えば分割ケーブル１１ｂのケーブル径の方が、より小径となっている。
【００２３】
図３において、電源部１４は、例えば通常の商用電源であってよく、この電源部１４において取り入れられた電流は、高周波電源部１７において、高帯域のラジオ周波数、例えば８ＭＨｚ〜６０ＭＨｚの周波数の高周波電流に変換される。高周波電源部１７により生成された高周波電流は、マッチングユニット３へと送られる。マッチングユニット３は、アクテイブ端子２１とパッシブ端子２０とを有する。芯線２はアクテイブ端子２１に接続され、シールド線６はパッシブ端子２０に接続される。
【００２４】
マイクロコンピュータ制御部１５は、制御信号入出力部１６を介して高周波電源部１７の出力制御およびマッチングユニット３のマッチング制御を行うとともに、諸値設定・表示部１８に対しては、高周波電源部１７の出力状態およびマッチングユニット３のマッチング作動状態等に関する必要な事項を表示させる。フットスイッチあるいはペダルスイッチ１９を制御信号入出力部１６に接続し、このフットスイッチあるいはペダルスイッチ１９により例えばマッチングユニット３の出力の断接を行うようにすることができる。
【００２５】
さて、図４（１）は本発明の一実施の形態に係る内視鏡用電磁エネルギー放射電極の平面図、図４（２）は図４（１）の内視鏡用電磁エネルギー放射電極の側面図、図４（３）は図４（１）の内視鏡用電磁エネルギー放射電極の首部より先端側の部分が首部に対して屈曲している場合の内視鏡用電磁エネルギー放射電極の側面図、図５は図４（１）ないし図４（３）の内視鏡用電磁エネルギー放射電極とは異なった形態の内視鏡用電磁エネルギー放射電極の平面図、図６は図４（１）ないし図４（３）の内視鏡用電磁エネルギー放射電極とはさらに異なった形態の内視鏡用電磁エネルギー放射電極の平面図、図７は図４（１）ないし図４（３）の内視鏡用電磁エネルギー放射電極とはさらに異なった形態の内視鏡用電磁エネルギー放射電極の平面図、図８は図４（１）ないし図４（３）の内視鏡用電磁エネルギー放射電極とはさらに異なった形態の内視鏡用電磁エネルギー放射電極の平面図、図９は図８の内視鏡用電磁エネルギー放射電極の使用態様の一例を説明するための要部平面図、図１０は図４（１）ないし図４（３）の内視鏡用電磁エネルギー放射電極とはさらに異なった形態の内視鏡用電磁エネルギー放射電極の平面図である。
【００２６】
図４（１），図４（２）において、電磁エネルギー放射電極５は、シールド線６により絶縁材を介して取り囲まれた芯線２の先端部に接続された首部５ａを有し、その首部５ａより先端側の部分５ｂにおいてへら状に形成されている。
【００２７】
図４（１）及び図４（２）に示した電磁エネルギー放射電極５によれば、首部５ａより先端側の部分５ｂにおいてへら状に形成されていることにより、電磁エネルギー放射電極５の表面から放射する電磁エネルギーを効果的に局所に集中させることができ、へら面を利用して生体組織に対して例えば気化、凝固および止血等の処理を施すことができるほか、へらのエッジ部を利用して切開等の処理を施すことができる。
【００２８】
図４（３）に示した電磁エネルギー放射電極５によれば、首部５ａより先端側の部分５ｂにおいてへら状に形成されており、しかも、先端側の部分５ｂが首部５ａに対して屈曲角度を有しているので、電極の先端部の表面を、生体組織の複雑な表面形状に対応して、適切な接近角度を持たせながら生体組織の表面に近づけることができ、内視鏡を通しての生体組織の視認を容易かつ確実に行うことができる。
【００２９】
また、図４（３）に示した電磁エネルギー放射電極５において、首部５ａより先端側の部分５ｂの首部５ａに対する屈曲角度が、互いに異なる複数種類の屈曲角度となるように、複数種類の電磁エネルギー放射電極５を準備しておき、その中から最適な屈曲角度の電磁エネルギー放射電極５を随時選択して使用することができ、生体組織の被処理面の状態に応じて、電磁エネルギー放射電極５の表面から放射する電磁エネルギーを有効に局所に集中させて、へら面を利用して生体組織に対して例えば気化、凝固および止血等の処理を施すことができるほか、へらのエッジ部を利用して切開等の処理を施すことができる。
【００３０】
さらに、図４（１），図４（２）および図４（３）に示した電磁エネルギー放射電極５によれば、首部５ａより先端側の部分５ｂにおいてへら状に形成されていることにより、生体組織の被処理部のみならず、被処理部の周辺の健全な生体組織まで、広い範囲にわたって大きく熱変性させてしまう、ということがなくなり、内視鏡のケーブル導通管４を通して内視鏡内へ電磁エネルギー放射電極５を挿通する際に、あるいは、内視鏡のケーブル導通管４を通して内視鏡から電磁エネルギー放射電極５を抜き出す際に、電磁エネルギー放射電極５が内視鏡のケーブル導通管４の内壁面に引っ掛かかることなく、円滑に、かつ確実に電磁エネルギー放射電極５を内視鏡に挿通したり、内視鏡から抜き出したりすることができる。
【００３１】
図５に示した電磁エネルギー放射電極５においては、電磁エネルギー放射電極５の首部５ａより先端側のへら状の部分５ｃの一部に、周縁から内側に向けて切り欠き５ｆが形成されている。この電磁エネルギー放射電極５は、図４（１），図４（２）および図４（３）に示した電磁エネルギー放射電極５において切り欠き５ｆを有していることのほかは、基本的にへら状の部分を有していることにおいて、図４（１），図４（２）、あるいは、図４（３）に示した電磁エネルギー放射電極５と同等である。
【００３２】
図５に示した電磁エネルギー放射電極５の切り欠き５ｆの平面視の形状としては、種々の形状とすることができ、図５のように部分的に欠如した概ね楕円形状とすることができるほか、同じく部分的に欠如した円形状、三角形状、矩形状等の種々の形状とすることができる。また、切り欠き５ｆの内側縁を電磁エネルギー放射電極５の外周縁よりも鋭いナイフエッジとすることもできる。
【００３３】
図５に示した電磁エネルギー放射電極５によれば、図４（１），図４（２）および図４（３）に示した電磁エネルギー放射電極５が奏する作用効果のほかに、切り欠き５ｆのフック作用を利用して、切り欠き５ｆに膜状の生体組織を引っ掛けて手前に引くことにより安全に生体組織を切開することができるものである。
【００３４】
図６に示した電磁エネルギー放射電極５は、首部５ａより先端側の部分５ｄにおいて環状に形成されている。このように、首部５ａより先端側の部分５ｄにおいて環状に形成されていることにより、特に電磁エネルギー放射電極５の表面から放射する電磁エネルギーを有効に局所に集中させることができ、電磁エネルギー放射電極５の先端部の表面を、生体組織の複雑な表面形状に対応して、常に適切な接近角度を持たせながら生体組織の表面に近づけることができるとともに、内視鏡を通しての生体組織の視認を容易かつ確実に行うことができ、環状部分を利用して生体組織に対して例えば気化、切開、凝固および止血等の処理を施すことができる。
【００３５】
さらに、図６に示した電磁エネルギー放射電極５によれば、生体組織の被処理部のみならず、被処理部の周辺の健全な生体組織まで広い範囲にわたって大きく熱変性をさせてしまう、ということがなく、内視鏡のケーブル導通管４を通して内視鏡内へ電磁エネルギー放射電極５を挿通する際に、あるいは内視鏡のケーブル導通管４を通して内視鏡から電磁エネルギー放射電極５を抜き出す際に、電磁エネルギー放射電極５が内視鏡のケーブル導通管４の内壁面に引っ掛かかることなく、円滑に、かつ確実に電磁エネルギー放射電極５を内視鏡に挿通したり内視鏡から抜き出したりすることができる。
【００３６】
図７に示した電磁エネルギー放射電極５は、首部５ａより先端側の部分５ｅにおいてかぎ状に形成されている。首部５ａより先端側の部分５ｅの端面部は、外方に凸の滑らかな曲面となるように面取り形成されている。このように首部５ａより先端側の部分５ｅにおいてかぎ状に形成されていることにより、電磁エネルギー放射電極５の表面積を可及的に小さく抑えながら、電磁エネルギー放射電極５の表面から放射する電磁エネルギーを有効に局所に集中させることができ、また、かぎ部の外縁部を利用して生体組織に対して例えば気化、凝固および止血等の処理を施すことができるほか、かぎ部のわん曲形状を活用して高い切開機能を発揮させて、所望の処理を施すことができる。しかも、電極の先端部の表面を、生体組織の複雑な表面形状に対応して、常に適切な接近角度を持たせながら生体組織の表面に近づけることができるとともに、内視鏡を通しての生体組織の視認を容易かつ確実に行うことができ、かぎ部の外縁部を利用して生体組織に対して例えば気化、凝固および止血等の処理をより適切に施すことができるほか、より高い精度で切開等の処理を施すことができる。
【００３７】
さらに、図７に示した電磁エネルギー放射電極５によれば、生体組織の被処理部のみならず、被処理部の周辺の健全な生体組織まで広い範囲にわたって大きく熱変性をさせてしまう、ということがなく、首部５ａより先端側の部分５ｅの端面部は、外方に凸の滑らかな曲面となるように、面取り形成されていることにより、内視鏡のケーブル導通管４を通して内視鏡内へ電磁エネルギー放射電極５を挿通する際に、あるいは内視鏡のケーブル導通管４を通して内視鏡から電磁エネルギー放射電極５を抜き出す際に、電磁エネルギー放射電極５が内視鏡のケーブル導通管４の内壁面に引っ掛かかることなく、円滑に、かつ確実に電磁エネルギー放射電極を内視鏡に挿通したり内視鏡から抜き出したりすることができる。
【００３８】
図８に示した電磁エネルギー放射電極５は、上述の図７に示した内視鏡用電磁エネルギー放射電極５ｅと同様に、首部５ａより先端側の部分５ｈにおいてかぎ状に形成されているが、特にかぎ状に形成された首部５ａより先端側の部分５ｈのかぎ先部５ｉが、少なくとも首部５ａの中心軸線に平行な方向となる折り返し角度以上の折り返し角度で、滑らかな湾曲を描いて折り返された形状に形成されている。
【００３９】
このように、図８に示した電磁エネルギー放射電極５によれば、電磁エネルギー放射電極５の表面積を可及的に小さく抑えながら、電磁エネルギー放射電極５の表面から放射する電磁エネルギーを効果的に局所に集中させることができ、また、かぎ部の外縁部を利用して生体組織に対して例えば気化、凝固および止血等の処理を施すことができるほか、例えば図９に示すように、かぎ部のわん曲形状を活用して、同かぎ部を血管等の管状組織２３に引っ掛けて手前に引くことにより、管状組織２３を切断することもできる。しかも、電極の先端部の表面を、生体組織の複雑な表面形状に対応して、常に適切な接近角度を持たせながら生体組織の表面に近づけることができるとともに、内視鏡を通しての生体組織の視認を容易かつ確実に行うことができ、かぎ部の外縁部を利用して生体組織に対して例えば気化、凝固および止血等の処理をより適切に施すことができるほか、より高い精度で切開等の処理を施すことができる。
【００４０】
さらに、図８に示した電磁エネルギー放射電極５によれば、首部５ａより先端側の部分５ｈにおいてかぎ状に形成されていることに加えて、かぎ先部５ｉが、少なくとも首部５ａの中心軸線に平行な方向となる折り返し角度以上の折り返し角度で、滑らかな湾曲を描いて折り返された形状に形成されていることにより、生体組織の被処理部のみならず、被処理部の周辺の健全な生体組織まで広い範囲にわたって大きく熱変性をさせてしまう、ということがなく、内視鏡のケーブル導通管４を通して内視鏡内へ電磁エネルギー放射電極５を挿通する際に、あるいは内視鏡のケーブル導通管４を通して内視鏡から電磁エネルギー放射電極５を抜き出す際に、電磁エネルギー放射電極５が内視鏡のケーブル導通管４の内壁面に引っ掛かかることなく、円滑に、かつ確実に電磁エネルギー放射電極を内視鏡に挿通したり内視鏡から抜き出したりすることができる。
【００４１】
図１０に示した電磁エネルギー放射電極５ｊにおいては、かぎ状に形成された首部５ａより先端側の部分のかぎ先部５ｋが、前記首部５ａの中心軸線に概ね垂直な方向となる折り返し角度で、かぎ状部の内側へ折り返された形状に形成されている。
【００４２】
このように、図１０に示した電磁エネルギー放射電極５によれば、電磁エネルギー放射電極５の表面積を可及的に小さく抑えながら、電磁エネルギー放射電極５の表面から放射する電磁エネルギーを効果的に局所に集中させることができ、また、かぎ部の外縁部を利用して生体組織に対して例えば気化、凝固および止血等の処理を施すことができるほか、かぎ部のわん曲形状を活用して、同かぎ部を血管等の管状組織に引っ掛けて手前に引くことにより、管状組織を切断することもできる。しかも、電極の先端部の表面を、生体組織の複雑な表面形状に対応して、常に適切な接近角度を持たせながら生体組織の表面に近づけることができるとともに、内視鏡を通しての生体組織の視認を容易かつ確実に行うことができ、かぎ部の外縁部を利用して生体組織に対して例えば気化、凝固および止血等の処理をより適切に施すことができるほか、より高い精度で切開等の処理を施すことができる。
【００４３】
さらに、図１０に示した電磁エネルギー放射電極５によれば、首部５ａより先端側の部分５ｊにおいてかぎ状に形成されていることに加えて、かぎ状に形成された首部５ａより先端側の部分のかぎ先部５ｋが、前記首部５ａの中心軸線に概ね垂直な方向となる折り返し角度で、かぎ状部の内側へ折り返された形状に形成されていることにより、生体組織の被処理部のみならず、被処理部の周辺の健全な生体組織まで広い範囲にわたって大きく熱変性をさせてしまう、ということがなく、内視鏡のケーブル導通管４を通して内視鏡内へ電磁エネルギー放射電極５を挿通する際に、あるいは内視鏡のケーブル導通管４を通して内視鏡から電磁エネルギー放射電極５を抜き出す際に、電磁エネルギー放射電極５が内視鏡のケーブル導通管４の内壁面に引っ掛かかることなく、円滑に、かつ確実に電磁エネルギー放射電極を内視鏡に挿通したり内視鏡から抜き出したりすることができる。
【００４４】
【発明の効果】
本発明の内視鏡用電磁エネルギー放射電極によれば、以下のような効果が得られる。
（１）請求項１に係る発明の内視鏡用電磁エネルギー放射電極によれば、高周波電流ケーブルに首部が接続され同首部より先端側の部分の表面から放射した電磁エネルギーの作用の下で、内視鏡を通して視認される近傍電磁界中の生体組織に対し処理を行う内視鏡用電磁エネルギー放射電極であって、同内視鏡用電磁エネルギー放射電極が、前記首部より先端側の部分においてへら状に形成されているので、電極の先端部の表面を、生体組織の複雑な表面形状に対応して、最適な接近角度を持たせながら生体組織の表面に近づけることができるとともに、内視鏡を通しての生体組織の視認を容易かつ確実に行うことができ、電磁エネルギー放射電極の表面から放射する電磁エネルギーを有効に局所に集中させ、へら面を利用して生体組織に対して例えば気化、凝固および止血等の処理を施すことができるほか、へらのエッジ部を利用して切開等の処理を施すこともでき、さらに、生体組織の被処理部のみならず、被処理部の周辺の健全な生体組織まで広い範囲にわたって大きく熱変性をさせてしまう、ということがなく、内視鏡のケーブル導通管を通して内視鏡内へ電磁エネルギー放射電極を挿通する際に、あるいは、内視鏡のケーブル導通管を通して内視鏡から電磁エネルギー放射電極を抜き出す際に、電磁エネルギー放射電極が内視鏡のケーブル導通管の内壁面に引っ掛かかることなく、円滑に、かつ確実に電磁エネルギー放射電極を内視鏡に挿通したり内視鏡から抜き出したりすることができ、特別な高度の技術や多くの熟練を要することなく、生体組織に対して精緻な処理を施すことができる。
（２）請求項２に係る発明の内視鏡用電磁エネルギー放射電極によれば、首部より先端側の部分が当該首部に対して設定された屈曲角度で屈曲しているので、電極の先端部の表面を、生体組織の複雑な表面形状に対応して、最適な接近角度を持たせながら生体組織の表面に近づけることができるとともに、操作者の視野を遮ることなく、内視鏡を通しての生体組織の視認を容易かつ確実に行うことができ、電磁エネルギー放射電極の表面から放射する電磁エネルギーを有効に局所に集中させながら、へら面を利用して生体組織に対して例えば気化、凝固および止血等の処理を施すことができるほか、へらのエッジ部を利用して切開等の処理を施すこともでき、さらに、生体組織の被処理部のみならず、被処理部の周辺の健全な生体組織まで広い範囲にわたって大きく熱変性をさせてしまう、ということがなく、内視鏡のケーブル導通管を通して内視鏡内へ電磁エネルギー放射電極を挿通する際に、あるいは内視鏡のケーブル導通管を通して内視鏡から電磁エネルギー放射電極を抜き出す際に、電磁エネルギー放射電極が内視鏡のケーブル導通管の内壁面に引っ掛かかることなく、円滑に、かつ確実に電磁エネルギー放射電極を内視鏡に挿通したり内視鏡から抜き出したりすることができ、特別な高度の技術や多くの熟練を要することなく、生体組織に対して精緻な処理を施すことができる。
（３）請求項３に記載された内視鏡用電磁エネルギー放射電極によれば、前記電磁エネルギー放射電極の前記首部より先端側のへら状の部分の一部に、周縁から内側に向けて切り欠きが形成されているので、請求項１又は請求項２に係る発明の内視鏡用電磁エネルギー放射電極が奏する効果に加えて、さらに切り欠きのフック作用を利用して、当該切り欠きに膜状の生体組織を引っかけて手前に引くことにより安全に生体組織を切開することができる。そして、電磁エネルギー放射電極の表面から放射する電磁エネルギーを有効に局所に集中させながら、へら面を利用して、生体組織に対して例えば気化、凝固および止血等の処理を施すことができるほか、へらのエッジ部を利用して切開等の処理を施すこともでき、さらに、生体組織の被処理部のみならず、被処理部の周辺の健全な生体組織まで広い範囲にわたって大きく熱変性をさせてしまう、ということがなく、内視鏡のケーブル導通管を通して内視鏡内へ電磁エネルギー放射電極を挿通する際に、あるいは内視鏡のケーブル導通管を通して内視鏡から電磁エネルギー放射電極を抜き出す際に、電磁エネルギー放射電極が内視鏡のケーブル導通管の内壁面に引っ掛かかることなく、円滑に、かつ確実に電磁エネルギー放射電極を内視鏡に挿通したり内視鏡から抜き出したりすることができ、特別な高度の技術や多くの熟練を要することなく、生体組織に対して精緻な処理を施すことができる。
（４）請求項４に係る発明の内視鏡用電磁エネルギー放射電極によれば、高周波電流ケーブルに首部が接続され同首部より先端側の先端部の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分において環状に形成されているので、特に電磁エネルギー放射電極の表面から放射する電磁エネルギーを有効に局所に集中させることができ、電極の先端部の表面を、生体組織の複雑な表面形状に対応して、常に適切な接近角度を持たせながら生体組織の表面に近づけることができるとともに、内視鏡を通しての生体組織の視認を容易かつ確実に行うことができる。また、電磁エネルギー放射電極の表面から放射する電磁エネルギーを一層有効に局所に集中させることができ、環状部分を利用して生体組織に対して例えば気化、切開、凝固および止血等の処理を施すことができ、さらに、生体組織の被処理部のみならず、被処理部の周辺の健全な生体組織まで広い範囲にわたって大きく熱変性をさせてしまう、ということがなく、内視鏡のケーブル導通管を通して、内視鏡内へ電磁エネルギー放射電極を挿通する際に、あるいは内視鏡のケーブル導通管を通して、内視鏡から電磁エネルギー放射電極を抜き出す際に、電磁エネルギー放射電極が、内視鏡のケーブル導通管の内壁面に引っ掛かかることなく、円滑にかつ確実に電磁エネルギー放射電極を内視鏡に挿通したり内視鏡から抜き出したりすることができる。
（５）請求項５に係る発明の内視鏡用電磁エネルギー放射電極によれば、高周波電流ケーブルに首部が接続され同首部より先端側の先端部の表面から放射した電磁エネルギーの作用の下で、内視鏡を通して視認される近傍電磁界中の生体組織に対し処理を行う内視鏡用電磁エネルギー放射電極であって、同内視鏡用電磁エネルギー放射電極が、前記首部より先端側の部分においてかぎ状に形成され、前記首部より先端側の部分の端面部が、外方に凸の滑らかな曲面となるように面取り形成されているので、電磁エネルギー放射電極の表面積を可及的に小さく抑えながら、電磁エネルギー放射電極の表面から放射する電磁エネルギーを有効に局所に集中させることができ、また、かぎ部の外縁部を利用して生体組織に対して例えば気化、凝固および止血等の処理を施すことができるほか、かぎ部のわん曲形状を活用して高い切開機能を発揮させて、所望の処理を施すことができる。しかも、電極の先端部の表面を、生体組織の複雑な表面形状に対応して、常に適切な接近角度を持たせながら生体組織の表面に近づけることができるとともに、内視鏡を通しての生体組織の視認を容易かつ確実に行うことができ、かぎ部の外縁部を利用して、生体組織に対して例えば気化、凝固および止血等の処理をより適切に施すことができるほか、より高い精度で切開等の処理を施すことができる。さらに、生体組織の被処理部のみならず、被処理部の周辺の健全な生体組織まで広い範囲にわたって大きく熱変性をさせてしまう、ということがなく、内視鏡のケーブル導通管を通して内視鏡内へ電磁エネルギー放射電極を挿通する際に、あるいは内視鏡のケーブル導通管を通して内視鏡から電磁エネルギー放射電極を抜き出す際に、電磁エネルギー放射電極が内視鏡のケーブル導通管の内壁面に引っ掛かかることなく、円滑に、かつ確実に電磁エネルギー放射電極を内視鏡に挿通したり内視鏡から抜き出したりすることができ、特別な高度の技術や多くの熟練を要することなく、生体組織に対して精緻な処理を施すことができる。
（６）請求項６に係る発明の内視鏡用電磁エネルギー放射電極によれば、高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分において、かぎ状に形成され、当該かぎ状に形成された首部より先端側の部分のかぎ先部が、少なくとも前記首部の中心軸線に平行な折り返し方向となる折り返し角度以上の折り返し角度で、滑らかな湾曲を描いて折り返された形状に形成されているので、電磁エネルギー放射電極の表面積を可及的に小さく抑えながら、電磁エネルギー放射電極の表面から放射する電磁エネルギーを、効果的に局所に集中させることができ、また、かぎ部の外縁部を利用して生体組織に対して例えば気化、凝固および止血等の処理を施すことができるほか、かぎ部のわん曲形状を活用して、同かぎ部を血管等の管状組織に引っ掛けて手前に引くことにより、管状組織を切断することもできる。しかも電極の先端部の表面を、生体組織の複雑な表面形状に対応して、常に適切な接近角度を持たせながら生体組織の表面に近づけることができるとともに、内視鏡を通しての生体組織の視認を容易かつ確実に行うことができ、かぎ部の外縁部を利用して生体組織に対して例えば気化、凝固および止血等の処理をより適切に施すことができるほか、より高い精度で切開等の処理を施すことができる。さらに、首部より先端側の部分においてかぎ状に形成されていることに加えて、かぎ先部が、少なくとも首部の中心軸線に平行な方向となる折り返し角度以上の折り返し角度で、滑らかな湾曲を描いて折り返された形状に形成されていることにより、生体組織の被処理部のみならず、被処理部の周辺の健全な生体組織まで広い範囲にわたって大きく熱変性をさせてしまう、ということがなく、内視鏡のケーブル導通管を通して内視鏡内へ電磁エネルギー放射電極を挿通する際に、あるいは内視鏡のケーブル導通管を通して内視鏡から電磁エネルギー放射電極を抜き出す際に、電磁エネルギー放射電極が内視鏡のケーブル導通管の内壁面に引っ掛かかることなく、円滑に、かつ確実に電磁エネルギー放射電極を内視鏡に挿通したり内視鏡から抜き出したりすることができる。
（７）請求項７に係る発明の内視鏡用電磁エネルギー放射電極によれば、高周波電流ケーブルに首部が接続され同首部より先端側にある部分の表面から放射した電磁エネルギーの作用の下で、内視鏡を通して視認される近傍電磁界中の生体組織に対し処理を行う内視鏡用電磁エネルギー放射電極であって、当該内視鏡用電磁エネルギー放射電極が、前記首部より先端側の部分において、かぎ状に形成され、前記かぎ状に形成された首部より先端側の部分のかぎ先部が、前記首部の中心軸線に概ね垂直な折り返し方向となる折り返し角度でかぎ状部の内側へ向けて折り返された形状に形成されているので、電磁エネルギー放射電極の表面積を可及的に小さく抑えながら、電磁エネルギー放射電極の表面から放射する電磁エネルギーを効果的に局所に集中させることができ、また、かぎ部の外縁部を利用して生体組織に対して例えば気化、凝固および止血等の処理を施すことができるほか、かぎ部のわん曲形状を活用して、同かぎ部を血管等の管状組織に引っ掛けて手前に引くことにより、管状組織を切断することもできる。しかも、電極の先端部の表面を、生体組織の複雑な表面形状に対応して、常に適切な接近角度を持たせながら生体組織の表面に近づけることができるとともに、内視鏡を通しての生体組織の視認を容易かつ確実に行うことができ、かぎ部の外縁部を利用して生体組織に対して例えば気化、凝固および止血等の処理をより適切に施すことができるほか、より高い精度で切開等の処理を施すことができる。さらに、首部より先端側の部分においてかぎ状に形成されていることに加えて、かぎ状に形成された首部より先端側の部分のかぎ先部が、前記首部の中心軸線に概ね垂直な方向となる折り返し角度で、かぎ状部の内側へ折り返された形状に形成されていることにより、生体組織の被処理部のみならず、被処理部の周辺の健全な生体組織まで広い範囲にわたって大きく熱変性をさせてしまう、ということがなく、内視鏡のケーブル導通管を通して内視鏡内へ電磁エネルギー放射電極を挿通する際に、あるいは内視鏡のケーブル導通管を通して内視鏡から電磁エネルギー放射電極を抜き出す際に、電磁エネルギー放射電極が内視鏡のケーブル導通管の内壁面に引っ掛かかることなく、円滑に、かつ確実に電磁エネルギー放射電極を内視鏡に挿通したり内視鏡から抜き出したりすることができる。
【図面の簡単な説明】
【図１】本発明の一実施の形態に係る内視鏡用電磁エネルギー放射電極を使用した生体組織処理装置の概念的な構成図である。
【図２】図１の生体組織処理装置に使用することができる分割ケーブルの一例を示す平面図である。
【図３】図１の生体組織処理装置の電源部から電磁エネルギー放射電極に至る電流の経路および制御信号の流れの一例を示す説明図である。
【図４】図４（１）は本発明の一実施の形態に係る内視鏡用電磁エネルギー放射電極の平面図、図４（２）は図４（１）の内視鏡用電磁エネルギー放射電極の側面図、図４（３）は、図４（１）の内視鏡用電磁エネルギー放射電極の首部より先端側の部分が首部に対して屈曲している場合の内視鏡用電磁エネルギー放射電極の側面図である。
【図５】図４（１）ないし図４（３）の内視鏡用電磁エネルギー放射電極とは異なった形態の内視鏡用電磁エネルギー放射電極の平面図である。
【図６】図４（１）ないし図４（３）の内視鏡用電磁エネルギー放射電極とはさらに異なった形態の内視鏡用電磁エネルギー放射電極の平面図である。
【図７】図４（１）ないし図４（３）の内視鏡用電磁エネルギー放射電極とはさらに異なった形態の内視鏡用電磁エネルギー放射電極の平面図である。
【図８】図４（１）ないし図４（３）の内視鏡用電磁エネルギー放射電極とはさらに異なった形態の内視鏡用電磁エネルギー放射電極の平面図である。
【図９】図８の内視鏡用電磁エネルギー放射電極の使用態様の一例を説明するための要部平面図である。
【図１０】図４（１）ないし図４（３）の内視鏡用電磁エネルギー放射電極とはさらに異なった形態の内視鏡用電磁エネルギー放射電極の平面図である。
【符号の説明】
１    高周波電源部
２    芯線
３    マッチングユニット
４    内視鏡のケーブル導通管
５    電磁エネルギー放射電極
５ａ    首部
５ｂ，５ｃ，５ｄ，５ｅ，５ｈ，５ｊ    首部より先端側の部分
５ｆ    切欠き部
５ｇ    かぎ先端面
５ｉ，５ｋ    かぎ先部
５ｋ    かぎ先部
５ｍ    折り返し部
６    シールド線
７    導線
７ａ，７ｂ    端子
８    生体組織
９    生体組織の局部
１０    電磁エネルギー放射部
１１    高周波電流ケーブル
１１ａ，１１ｂ    分割ケーブル
１２    コネクタソケット
１３    中継コネクタ
１３ａ，１３ｂ    コネクタソケット
１５    マイクロコンピュータ制御部
１６    制御信号入出力部
１７    高周波電源部
１８    諸値設定・表示部
１９    フットスイッチ
２０    パッシブ端子
２１    アクテイ  ブ端子
２２    切欠き部
２３    管状組織
【図１】
2005065751.tif 000003
【図２】
2005065751.tif 000004
【図３】
2005065751.tif 000005
【図４】
2005065751.tif 000006
【図５】
2005065751.tif 000007
【図６】
2005065751.tif 000008
【図７】
2005065751.tif 000009
【図８】
2005065751.tif 000010
【図９】
2005065751.tif 000011
【図１０】
2005065751.tif 000012